(57)【要約】【課題】  バスバーと電線との接続を圧接により行うジョイントコネクタを安価に製造する。【解決手段】  圧接ジョイントコネクタ１は、複数の電線８０を固定保持する複数の電線ホルダ１０と、これらが装着されるホルダ装着部２１を有するハウジング２０と、このハウジング２０に備えられるバスバー３０とを有する。バスバー３０は、ホルダ装着部２１で電線８０をスリット３４に挿入して圧接するための圧接端子部３３を有し、電線ホルダ１０は、ホルダ装着部２１側に電線８０を圧接端子部３３に圧接するための装着側開口部１２ａを備えている。電線ホルダ１０をホルダ装着部２１に装着側開口部１２ａを向けて装着するだけで電線８０とバスバー３０とを接続することができるので、従来の接続端子が不要で安価にジョイントコネクタを製造することが可能となる。【選択図】  図１
2005149936.tif 000002
【特許請求の範囲】
【請求項１】
電線を両側から挟持し一方の側に前記電線が臨む開口部が形成された電線保持部材と、
この電線保持部材が前記開口部を向けて装着される電線保持部材装着部を有するハウジングと、
このハウジングに備えられ前記電線保持部材が前記開口部を前記電線保持部材装着部に向けて前記電線保持部材装着部に装着されたときに前記電線と圧接される圧接端子を有する分岐接続部と
を備えたことを特徴とする圧接ジョイントコネクタ。
【請求項２】
前記電線保持部材と前記ハウジングとは、前記電線保持部材装着部における前記電線保持部材の装着時に、その装着状態を保持する電線保持部材係合部により互いに係合される構造からなり、
前記電線保持部材係合部は、前記電線保持部材の端部に形成され前記電線保持部材装着部への装着方向に延びると共に係合穴部を有する電線保持部材係合部用係合片と、前記ハウジングの端部に形成され前記係合穴部に係合する電線保持部材係合部用係合突起とから構成されている
ことを特徴とする請求項１記載の圧接ジョイントコネクタ。
【請求項３】
前記電線保持部材と前記ハウジングとは、前記電線保持部材装着部における前記電線保持部材の装着時に、その装着状態を保持する電線保持部材係合部により互いに係合される構造からなり、
前記電線保持部材係合部は、前記電線保持部材の端部に形成され前記電線保持部材装着部への装着方向に延びると共に係合突起部を有する電線保持部材係合部用嵌合片と、前記ハウジングの端部に形成され内部に前記係合突起部が係合する突起係合部を有する電線保持部材係合部用嵌合穴とから構成されている
ことを特徴とする請求項１記載の圧接ジョイントコネクタ。
【請求項４】
前記電線保持部材は、前記電線を介して対向配置され前記電線をその芯線方向と直交する方向に挟み込んで挟持固定する分割可能な構造の複数の電線保持部材構成体から構成され、
前記複数の電線保持部材構成体のうち、第１電線保持部材構成体に形成された係合凹部と、第２電線保持部材構成体に形成された前記係合凹部と係合する係合凸部を有する係合片部とからなる電線保持部材構成体係合部を備えてなる
ことを特徴とする請求項１〜３のいずれか１項記載の圧接ジョイントコネクタ。
【請求項５】
前記電線保持部材は、前記電線を介して対向配置され前記電線をその芯線方向と直交する方向に挟み込んで挟持固定する複数の電線保持部材構成体と、
これら複数の電線保持部材構成体の一方の端部同士を結合するヒンジ部と、
前記複数の電線保持部材構成体の他方の端部同士を係合して固定する電線保持部材構成体係合部とを一体的に形成して構成され、
前記電線保持部材構成体係合部は、前記複数の電線保持部材構成体のうち、第１電線保持部材構成体の前記他方の端部に形成された係合凹部と、第２電線保持部材構成体の前記他方の端部に形成された前記係合凹部と係合する係合凸部を有する係合片部とから構成されている
ことを特徴とする請求項１〜３のいずれか１項記載の圧接ジョイントコネクタ。
【請求項６】
前記ハウジングに取り付けられると共に前記電線保持部材装着部に装着された前記電線保持部材を押えるハウジング蓋部を更に備え、
前記ハウジング蓋部は、前記ハウジングへの取付時に、前記電線保持部材から外部に露出して延びる前記電線を、前記圧接端子との圧接部分に対するストレインリリーフを備えるように前記ハウジングの端部又は前記電線保持部材の端部と共に挟み込んで所定の角度で折り曲げる電線押え部を有してなる
ことを特徴とする請求項１〜５のいずれか１項記載の圧接ジョイントコネクタ。
【請求項７】
前記ハウジング蓋部と前記ハウジングとは、前記ハウジング蓋部の前記ハウジングへの取付時に、その取付状態を保持する蓋係合部により互いに係合される構造からなり、
前記蓋係合部は、前記ハウジング蓋部の端部に形成され前記ハウジングへの取付方向に延びると共に取付穴部を有するハウジング蓋部用係合片と、前記ハウジングの端部に形成され前記取付穴部に係合するハウジング蓋部用係合突起とから構成されている
ことを特徴とする請求項６記載の圧接ジョイントコネクタ。
【請求項８】
前記ハウジング蓋部と前記ハウジングとは、前記ハウジング蓋部の前記ハウジングへの取付時に、その取付状態を保持する蓋係合部により互いに係合される構造からなり、
前記蓋係合部は、前記ハウジング蓋部の端部に形成され前記ハウジングへの取付方向に延びると共に係合突起部を有するハウジング蓋部用嵌合片と、前記ハウジングの端部に形成され内部に前記係合突起部が係合する突起係合部を有するハウジング蓋部用嵌合穴とから構成されている
ことを特徴とする請求項６記載のジョイントコネクタ。
【発明の詳細な説明】
【技術分野】
【０００１】
本発明は、自動車等に搭載されるワイヤハーネスのジョイントコネクタに関し、特にバスバーなどの分岐接続部との接続を圧接により行う圧接ジョイントコネクタに関する。
【背景技術】
【０００２】
従来から、自動車等のワイヤハーネスの接続に使用されるジョイントコネクタとしては、ワイヤハーネスの各電線に接続された多数の接続端子をハウジング内に収容し、更にこれらの接続端子を同様にハウジング内に収容されたバスバー等の分岐接続部で短絡させて相互接続して、分岐回路を構成するものが知られている（例えば、特許文献１参照。）。
【０００３】
【特許文献１】特許第３１６０１９１号公報（第３−５頁、第１−３図）
【発明の開示】
【発明が解決しようとする課題】
【０００４】
しかしながら、特許文献１に記載のジョイントコネクタでは、ハウジングに電線に接続された接続端子を収容し、更にバスバーを収容してハウジング同士を嵌合することで分岐接続を図る構造のため、電線に接続端子を接続する作業が必要であると共に各接続端子をハウジング内に収容する作業が必要であるため、結果的にジョイントコネクタのコストが高くなってしまうという問題がある。
【０００５】
本発明は、このような問題点に鑑みてなされたもので、バスバーなどの分岐接続部と電線との接続を圧接により行うことができると共に安価に製造することができる圧接ジョイントコネクタを提供することを目的とする。
【課題を解決するための手段】
【０００６】
本発明に係る圧接ジョイントコネクタは、電線を両側から挟持し一方の側に前記電線が臨む開口部が形成された電線保持部材と、この電線保持部材が前記開口部を向けて装着される電線保持部材装着部を有するハウジングと、このハウジングに備えられ前記電線保持部材が前記開口部を前記電線保持部材装着部に向けて前記電線保持部材装着部に装着されたときに前記電線と圧接される圧接端子を有する分岐接続部とを備えたことを特徴とする。
【０００７】
なお、この圧接ジョイントコネクタの電線保持部材とハウジングとは、例えば電線保持部材装着部における電線保持部材の装着時に、その装着状態を保持する電線保持部材係合部により互いに係合される構造からなり、この場合電線保持部材係合部としては、例えば（１）電線保持部材の端部に形成され電線保持部材装着部への装着方向に延びると共に係合穴部を有する電線保持部材係合部用係合片と、ハウジングの端部に形成され係合穴部に係合する電線保持部材係合部用係合突起とから構成されるものや、（２）電線保持部材の端部に形成され電線保持部材装着部への装着方向に延びると共に係合突起部を有する電線保持部材係合部用嵌合片と、ハウジングの端部に形成され内部に係合突起部が係合する突起係合部を有する電線保持部材係合部用嵌合穴とから構成されるものなどが良い。
【０００８】
また、電線保持部材は、例えば（ａ）電線を介して対向配置され電線をその芯線方向と直交する方向に挟み込んで挟持固定する分割可能な構造の複数の電線保持部材構成体から構成され、複数の電線保持部材構成体のうち、第１電線保持部材構成体に形成された係合凹部と、第２電線保持部材構成体に形成された係合凹部と係合する係合凸部を有する係合片部とからなる電線保持部材構成体係合部を備えてなるものや、（ｂ）電線を介して対向配置され電線をその芯線方向と直交する方向に挟み込んで挟持固定する複数の電線保持部材構成体と、これら複数の電線保持部材構成体の一方の端部同士を結合するヒンジ部と、複数の電線保持部材構成体の他方の端部同士を係合して固定する電線保持部材構成体係合部とを一体的に形成して構成され、電線保持部材構成体係合部は、複数の電線保持部材構成体のうち、第１電線保持部材構成体の他方の端部に形成された係合凹部と、第２電線保持部材構成体の他方の端部に形成された係合凹部と係合する係合凸部を有する係合片部とから構成されているものなどが良い。
【０００９】
更に、この圧接ジョイントコネクタは、例えばハウジングに取り付けられると共に電線保持部材装着部に装着された電線保持部材を押えるハウジング蓋部を更に備えて構成され、ハウジング蓋部は、ハウジングへの取付時に、電線保持部材から外部に露出して延びる電線を、圧接端子との圧接部分に対するストレインリリーフを備えるようにハウジングの端部や電線保持部材の端部と共に挟み込んで所定の角度で折り曲げる電線押え部を有してなると良い。
【００１０】
この場合、ハウジング蓋部とハウジングとは、例えばハウジング蓋部のハウジングへの取付時に、その取付状態を保持する蓋係合部により互いに係合される構造からなり、この蓋係合部としては、例えば（Ｉ）ハウジング蓋部の端部に形成されハウジングへの取付方向に延びると共に取付穴部を有するハウジング蓋部用係合片と、ハウジングの端部に形成され取付穴部に係合するハウジング蓋部用係合突起とから構成されるものや、（II）ハウジング蓋部の端部に形成されハウジングへの取付方向に延びると共に係合突起部を有するハウジング蓋部用嵌合片と、ハウジングの端部に形成され内部に係合突起部が係合する突起係合部を有するハウジング蓋部用嵌合穴とから構成されるものなどが良い。
【発明の効果】
【００１１】
本発明によれば、圧接ジョイントコネクタが、電線を両側から挟持し電線が臨む開口部を有する電線保持部材と、この電線保持部材が開口部を向けて装着される電線保持部材装着部を有するハウジングと、このハウジングに備えられ電線保持部材が開口部を電線保持部材装着部に向けて装着された際に電線と圧接される圧接端子を有する分岐接続部とから構成される。このため、分岐接続部と電線との接続に際し別途接続端子を必要とせず、また、電線保持部材に電線を挟み込んでハウジングの電線保持部材装着部に装着するだけで分岐接続部と電線との接続を図ることができる。これにより、電線に接続端子を接続する接続作業や接続端子をハウジング内へ収容する収容作業などが不要となり、コストを抑えて安価にジョイントコネクタを製造することが可能となる。
【発明を実施するための最良の形態】
【００１２】
以下、添付の図面を参照して、本発明の好ましい実施の形態を説明する。
【００１３】
図１は、本発明の一実施形態に係る圧接ジョイントコネクタを示す分解斜視図、図２は、この圧接ジョイントコネクタの電線保持部材を示す分解斜視図、図３は、この圧接ジョイントコネクタを示す接続時の側面図、図４及び図５は、この圧接ジョイントコネクタを示す接続時の一部断面図である。
【００１４】
圧接ジョイントコネクタ１は、図１に示すように、例えば複数の電線８０を固定保持する複数の電線保持部材としての電線ホルダ１０と、これら複数の電線ホルダ１０が装着される電線保持部材装着部としてのホルダ装着部２１を有するハウジング２０と、このハウジング２０に備えられ複数の電線８０を分岐接続するための分岐接続部としてのバスバー３０とを有して構成されている。なお、電線ホルダ１０及びハウジング２０は、例えば樹脂成型部材からなり、バスバー３０は、金属板を打ち抜き／折り曲げ加工などしてなるものである。
【００１５】
複数の電線ホルダ１０は、図１及び図２に示すように、例えばそれぞれハウジング２０のホルダ装着部２１への装着方向と直交する面と平行に複数の電線８０を保持する板状の電線保持部１１を備えて構成されている。この例の電線保持部１１は、例えば電線８０を介して対向配置され電線８０をその芯線方向と直交する方向に挟み込んで挟持固定する複数の電線保持部材構成体を備えており、矩形枠状の第１電線保持部材構成体としての枠部１２及び矩形板状の第２電線保持部材構成体としてのプレート部１３と、これら枠部１２及びプレート部１３の一方の端部同士を結合するヒンジ部１４と、枠部１２及びプレート部１３の他方の端部同士を係合して固定する電線保持部材構成体係合部としての係合部１５とを一体的に形成して構成された構造からなる。
【００１６】
なお、この係合部１５は、例えば枠部１２のヒンジ部１４側と反対側の端部に形成された係合凹部１６と、プレート部１３のヒンジ部１４側と反対側の端部に形成された、係合凹部１６と係合する係合凸部１８を有する係合片部１７とから構成されている。そして、電線保持部１１の枠部１２には、電線ホルダ１０のホルダ装着部２１への装着時に、ホルダ装着部２１上で後述するバスバー３０の圧接端子部３３のスリット３４に電線８０を挿入して圧接可能にするための装着側開口部１２ａが形成され、プレート部１３には、圧接端子部３３と電線８０との圧接時に、圧接端子部３３がプレート部１３に当接しないようにするための逃げ凹み部１３ａが形成されている。
【００１７】
また、この電線ホルダ１０の電線保持部１１の枠部１２及びプレート部１３のそれぞれの対向端部には、例えば複数の電線８０の被覆８２の外周径に合わせて形成された、各電線８０の芯線８１の方向に延びると共に複数配列形成された固定溝部１１ａが備えられている。ここで、電線ホルダ１０に固定保持される複数の電線８０は、この例ではそれぞれ絶縁性の被覆８２に芯線８１が覆われた構造からなり、可撓性を備えている。
【００１８】
この圧接ジョイントコネクタ１の複数の電線ホルダ１０とハウジング２０とは、例えば各ホルダ装着部２１における電線ホルダ１０の装着時に、その装着状態を保持する電線保持部材係合部としてのホルダ係合部２５によりそれぞれ互いに係合される構造からなる。この例のホルダ係合部２５は、例えば各電線ホルダ１０の枠部１２の端部に形成されホルダ装着部２１への装着方向に延びると共に係合穴部２６を有する電線保持部材係合部用係合片としてのホルダ係合片２７と、ハウジング２０の端部に形成され係合穴部２６に係合する電線保持部材係合部用係合突起としてのホルダ係合突起２８とから構成されている。
【００１９】
一方、ハウジング２０は、例えばインサートモールド成形などにより、バスバー３０を一体的に備えた構造からなり、上記複数の電線ホルダ１０が装着される棚状の複数のホルダ装着部２１を備えて構成されている。また、ハウジング２０のこれら複数のホルダ装着部２１間には、複数の電線ホルダ１０をハウジング２０に装着する際に、各電線ホルダ１０の端部を当接してホルダ装着部２１への装着時の位置決めなどを行うための位置決め凸部２２が形成されている。
【００２０】
また、このハウジング２０の端部には、上述したホルダ係合突起２８の他に、例えば後述するハウジング２０に取り付けられるハウジング蓋部４０を係合するための蓋係合部４５の一部を構成するハウジング蓋部用係合突起としての蓋係合突起４８が形成されている。
【００２１】
バスバー３０は、複数の分岐端子部３１の先端側に、上述した電線８０が挿入されるスリット３４を有し且つ電線ホルダ１０のホルダ装着部２１への非装着時に、ホルダ装着部２１においてスリット３４が電線ホルダ１０の装着方向と平行となる状態で露出された圧接端子部３３を備え、各分岐端子部３１が連結部３２により連結された構造からなり、上述したように、例えばインサートモールド成形によりハウジング２０に一体的に備えられている。
【００２２】
このように構成された圧接ジョイントコネクタ１では、複数の電線８０を複数の電線ホルダ１０でそれぞれ固定保持し、各電線８０の端末部が対向する状態で各電線ホルダ１０をハウジング２０のホルダ装着部２１にそれぞれ装着側開口部１２ａがホルダ装着部２１側に向かうように装着するだけで、図４及び図５に示すように、ホルダ装着部２１においてバスバー３０の圧接端子部３３のスリット３４に電線８０を挿入してその被覆８２を破り、芯線８１と圧接端子部３３とを接続して各電線８０の分岐接続を行うことができる。このように、この圧接ジョイントコネクタ１は、従来のジョイントコネクタのような接続端子が別途不要になり、また、接続端子の接続作業等も不要となるため、部品点数を少なくして組立作業等を容易化しコストを抑えて安価に製造することが可能となる。
【００２３】
なお、図３〜図５に示す圧接ジョイントコネクタ１は、ハウジング２０に、ハウジング２０に取り付けられると共に各ホルダ装着部２１に装着された各電線ホルダ１０を覆うように押えるハウジング蓋部４０が取り付けられた状態を示している。この例のハウジング蓋部４０は、例えばハウジング２０への取付時に、各電線ホルダ１０の電線保持部１１から外部に露出して延びる複数の電線８０を、バスバー３０の圧接端子部３３との圧接部分に対していわゆるストレインリリーフを備えるようにハウジング２０の端部と共に挟み込んで所定の角度（ここでは約９０°）で折り曲げる電線押え部としての蓋周縁片部４９を有している。従って、このハウジング蓋部４０を取り付けることで、圧接端子部３３と電線８０との圧接部分に対するストレインリリーフ構造と保護構造とを実現することができる。
【００２４】
ここで、このハウジング蓋部４０とハウジング２０とは、例えばハウジング蓋部４０のハウジング２０への取付時に、その取付状態を保持する蓋係合部４５により互いに係合される構造からなる。この蓋係合部４５は、図３に示すように、この例では例えばハウジング蓋部４０の端部に形成されハウジング２０への取付方向に延びると共に取付穴部４６を有するハウジング蓋部用係合片としての蓋係合片４７と、ハウジング２０の端部に形成された、取付穴部４６に係合する上述した蓋係合突起４８とから構成されている。
【００２５】
このように、ハウジング蓋部４０が取り付けられた圧接ジョイントコネクタ１では、複数の電線８０を複数の電線ホルダ１０の電線保持部１１で固定保持し、これら複数の電線ホルダ１０を装着側開口部１２ａをホルダ装着部２１側に向けた状態でハウジング２０の各ホルダ装着部２１に装着し、ハウジング蓋部４０をこれらを押えるようにハウジング２０に取り付けるだけで、各ホルダ装着部２１においてスリット３４が露出されたバスバー３０の圧接端子部３３に電線８０を挿入し、スリット３４で電線８０の被覆８２を破って芯線８１と圧接端子部３３とを接続することができ、分岐接続を容易に行うことができると共にこの圧接部分に対するストレインリリーフ構造を具備することができる。この圧接ジョイントコネクタ１では、従来のジョイントコネクタのように別途接続端子を必要としないため部品点数を少なくすることができると共に、各電線８０に接続端子を接続する必要がなく、また、ハウジング２０に接続端子を収容する必要もないため、これらの作業が不要となり、更に、圧接端子部３３と電線８０との圧接部分に対するストレインリリーフ構造と保護構造とをハウジング蓋部４０で一括して具備することができるため、ストレインリリーフのための別部品や保護のための別部品が不要となり、結果的にコストを抑えることが可能で安価にジョイントコネクタを製造することができるようになる。
【００２６】
なお、この例の圧接ジョイントコネクタ１の複数の電線ホルダ１０とハウジング２０とは、上記ホルダ係合部２５の他に、例えば図６に示すような構造のホルダ係合部２５で互いに係合されても良い。即ち、この場合のホルダ係合部２５は、例えば各電線ホルダ１０の枠部１２の端部に形成され装着方向に延びると共に係合突起部５１を有する電線保持部材係合部用嵌合片としてのホルダ嵌合片５２と、ハウジング２０のハウジング装着部２１の端部に形成され係合突起部５１が係合する突起係合部５３を有する電線保持部材係合部用嵌合穴としてのホルダ嵌合穴５４とから構成されていると良い。このように構成されたホルダ係合部２５でも各電線ホルダ１０とハウジング２０との装着状態を保持することができるからである。
【００２７】
また、この例の圧接ジョイントコネクタ１の電線ホルダ１０の電線保持部１１を構成する枠部１２及びプレート部１３は、ヒンジ部１４で一体的に連結された構造からなるものであるが、この構造以外に、図７及び図８に示すように、例えば互いに分割可能な構造からなるものでも良い。この場合、電線保持部１１の係合部１５は、例えば図７に示すように、枠部１２及びプレート部１３のうちの一方（ここではプレート部１３）の端部に対角状に形成された係合凹部１６と、他方（ここでは枠部１２）の端部に係合凹部１６と対応する対角状に形成された係合片部１７とから構成されていても良い。また、例えば図８に示すように、枠部１２及びプレート部１３のそれぞれの端部に対角状に形成された係合凹部１６及び係合片部１７から構成されていても良い。このように構成された係合部１５でも枠部１２及びプレート部１３を確実に一体的に係合して電線保持部１１を構成することができるからである。
【００２８】
更に、ハウジング蓋部４０をハウジング２０に取り付けるための蓋係合部４５としては、例えば図９に示すように、ハウジング蓋部４０のハウジング２０の位置決め凸部２２と対向する端部に形成された、ハウジング２０への取付方向に延びると共に係合突起部４１を有するハウジング蓋部用嵌合片としての蓋嵌合片４２と、ハウジング２０の位置決め凸部２２の端部に穿設され内部に係合突起部４１が係合する突起係合部４３が形成されたハウジング蓋部用嵌合穴としての蓋嵌合穴４４とから構成されていても良い。このような構造の蓋係合部４５でも、ハウジング蓋部４０とハウジング２０との取付状態を保持することができるからである。
【００２９】
図１０は、本発明の他の実施形態に係る圧接ジョイントコネクタを示す分解斜視図、図１１は、この圧接ジョイントコネクタを示す接続時の一部断面図である。なお、以降において、既に説明した部分と重複する説明は割愛し、言及しない部分については既述のものが適用可能であるとする。
この圧接ジョイントコネクタ１Ａでは、各電線８０の端末部が同一方向を向く状態で各電線ホルダ１０を装着側開口部１２ａをホルダ装着部２１側に向けてハウジング２０のホルダ装着部２１に並列に装着する点と、ホルダ係合部２５がホルダ嵌合片５２及びホルダ嵌合穴５４と、例えば電線ホルダ１０のプレート部１３の端部に形成された凸状の嵌合凸部５５及びハウジング２０の位置決め凸部２２の側端部に穿設された嵌合凸部５５が嵌る形状の嵌合凹部５６とから構成されている点と、バスバー３０の形状が異なる点とが、先の例の圧接ジョイントコネクタ１と相違している。この圧接ジョイントコネクタ１Ａでも、上記圧接ジョイントコネクタ１と同様の効果を有する。なお、図１１に示すように、ハウジング蓋部４０をハウジング２０に取り付ければ、上記圧接ジョイントコネクタ１にハウジング蓋部４０を取り付けた場合と同様に、電線８０と圧接端子部３３との圧接部分に対してストレインリリーフや保護などを図ることが可能である。
【００３０】
図１２及び図１３は、本発明の更に他の実施形態に係る圧接ジョイントコネクタを示す接続時の一部断面図である。
この圧接ジョイントコネクタ１Ｂでは、各電線ホルダ１０の装着側開口部１２ａがそれぞれホルダ装着部２１に向けて装着される際に、ハウジング２０に対して対向方向となる状態で各電線ホルダ１０がハウジング２０のホルダ装着部２１に装着される点と、バスバー３０の形状が異なる点と、ハウジング蓋部４０ハウジング２０への取付時に、各電線ホルダ１０の電線保持部１１から外部に露出して延びる各電線８０を、ハウジング蓋部４０及び蓋周縁片部４９と各電線ホルダ１０の端部とで挟み込んで所定の角度（ここでは約９０°を２回で約１８０°）で折り曲げている点とが、先の例の圧接ジョイントコネクタ１，１Ａと相違している。この圧接ジョイントコネクタ１Ｂでも、上記圧接ジョイントコネクタ１，１Ａと同様の効果を有する。
【産業上の利用可能性】
【００３１】
本発明は、分岐接続を含む電気的接続を行う各種の用途に利用できる。
【図面の簡単な説明】
【００３２】
【図１】本発明の一実施形態に係る圧接ジョイントコネクタを示す分解斜視図である。
【図２】同圧接ジョイントコネクタの電線保持部材を示す分解斜視図である。
【図３】同圧接ジョイントコネクタを示す接続時の側面図である。
【図４】同圧接ジョイントコネクタを示す接続時の一部断面図である。
【図５】同圧接ジョイントコネクタを示す接続時の一部断面図である。
【図６】同圧接ジョイントコネクタの他の電線保持部材係合部を示す一部断面図である。
【図７】同圧接ジョイントコネクタの他の電線保持部材を示す展開斜視図である。
【図８】同圧接ジョイントコネクタの他の電線保持部材を示す展開斜視図である。
【図９】同圧接ジョイントコネクタの他の蓋係合部を示す一部断面図である。
【図１０】本発明の他の実施形態に係る圧接ジョイントコネクタを示す分解斜視図である。
【図１１】同圧接ジョイントコネクタを示す接続時の一部断面図である。
【図１２】本発明の更に他の実施形態に係る圧接ジョイントコネクタを示す接続時の一部断面図である。
【図１３】同圧接ジョイントコネクタを示す接続時の一部断面図である。
【符号の説明】
【００３３】
１，１Ａ，１Ｂ…圧接ジョイントコネクタ、１０…電線ホルダ、１１…電線保持部、１１ａ…固定溝部、１２…枠部、１２ａ…装着側開口部、１３…プレート部、１３ａ…逃げ凹み部、１４…ヒンジ部、１５…係合部、１６…係合凹部、１７…係合片部、１８…係合凸部、２０…ハウジング、２１…ホルダ装着部、２２…位置決め凸部、２５…ホルダ係合部、２６…係合穴部、２７…ホルダ係合片、２８…ホルダ係合突起、３０…バスバー、３１…分岐端子部、３２…連結部、３３…圧接端子部、３４…スリット、４０…ハウジング蓋部、４１，５１…係合突起部、４２…蓋嵌合片、４３，５３…突起係合部、４４…蓋嵌合穴、４５…蓋係合部、４６…取付穴部、４７…蓋係合片、４８…蓋係合突起、４９…蓋周縁片部、５２…ホルダ嵌合片、５４…ホルダ嵌合穴、５５…嵌合凸部、５６…嵌合凹部、８０…電線、８１…芯線、８２…被覆。
【図１】
2005149936.tif 000003
【図２】
2005149936.tif 000004
【図３】
2005149936.tif 000005
【図４】
2005149936.tif 000006
【図５】
2005149936.tif 000007
【図６】
2005149936.tif 000008
【図７】
2005149936.tif 000009
【図８】
2005149936.tif 000010
【図９】
2005149936.tif 000011
【図１０】
2005149936.tif 000012
【図１１】
2005149936.tif 000013
【図１２】
2005149936.tif 000014
【図１３】
2005149936.tif 000015